(57)【特許請求の範囲】
【請求項１】
冷媒をチャージする際に取り外される封止用六角ナットにより封止される冷媒チャージ用サービスポートが設けられている冷媒配管接続バルブを備えた室外機であって、
使用されている冷媒の種類、及び、注意文書の少なくとも１つが記載された表示部と、
前記表示部を、前記冷媒配管接続バルブ、もしくは前記封止用六角ナットに取り付ける突起部と、を備えた
ことを特徴とする室外機。
【請求項２】
前記表示部は、
前記突起部によって、前記封止用六角ナットの六角柱状となっている面の少なくとも一面に保持される
ことを特徴とする請求項１に記載の室外機。
【請求項３】
前記突起部にはＣ字状の取付部が設けられており、
前記突起部は、
前記取付部がその弾性力を利用して前記冷媒配管接続バルブに嵌められることで前記冷媒配管接続バルブに取り付けられる
ことを特徴とする請求項１に記載の室外機。
【請求項４】
前記突起部にはリング形状の取付部が設けられており、
前記突起部は、
前記取付部が前記冷媒チャージ用サービスポートのネジ部首元に装着された状態で前記封止用六角ナットが取り付けられることで前記冷媒配管接続バルブに取り付けられる
ことを特徴とする請求項１に記載の室外機。
【請求項５】
前記突起部にはリング形状の取付部が設けられており、
前記突起部は、
前記取付部が前記封止用六角ナットの六角柱状となっている部分に嵌められることで前記封止用六角ナットに取り付けられる
ことを特徴とする請求項１に記載の室外機。
【請求項６】
前記突起部にはＣ字状の取付部が設けられており、
前記封止用六角ナットの六角柱状となっている部分の少なくとも一部には溝が形成され、
前記突起部は、
前記取付部がその弾性力を利用して前記封止用六角ナットの前記溝に嵌められることで前記封止用六角ナットに取り付けられる
ことを特徴とする請求項１に記載の室外機。
【請求項７】
冷媒をチャージする際に取り外される封止用六角ナットにより封止される冷媒チャージ用サービスポートが設けられている冷媒配管接続バルブを備えた室外機であって、
使用されている冷媒の種類、及び、注意文書の少なくとも１つが記載され、前記封止用六角ナットの六角柱状となっている部分の外周を覆う筒状の表示カバーを備えた
ことを特徴とする室外機。
【請求項８】
前記表示カバーは、
連結部を介して前記室外機の筐体の側面を構成する側面パネルに取り付けられる
ことを特徴とする請求項７に記載の室外機。
【請求項９】
前記連結部は、
前記表示カバーと一体で作成される
ことを特徴とする請求項８に記載の室外機。
【請求項１０】
前記連結部の前記側面パネルに取り付けられる先端部は、
前記側面パネルの内面に当接する先端係止部と、
前記先端係止部よりも基端側に位置し、前記側面パネルの外面に吸着するリブと、を備えている
ことを特徴とする請求項８又は９に記載の室外機。
【請求項１１】
前記表示カバーは、
底面の少なくとも一部に水抜き穴が形成されている
ことを特徴とする請求項７〜１０のいずれか一項に記載の室外機。
【請求項１２】
冷媒をチャージする際に取り外される封止用六角ナットにより封止される冷媒チャージ用サービスポートが設けられている冷媒配管接続バルブを備えた室外機であって、
使用されている冷媒の種類、及び、注意文書の少なくとも１つが記載され、前記封止用六角ナットの六角柱状となっている部分を着脱自在に覆う表示部と、
前記冷媒配管接続バルブの冷媒配管接続口の根本部分に取り付けられる取付部と、
前記表示部と前記取付部とを接続する延設部と、を備えた
ことを特徴とする室外機。
【請求項１３】
前記延設部は、
前記表示部の一面を、前記冷媒配管接続バルブの冷媒配管接続口の方向に延設させた形状に構成されており、
前記表示部と前記延設部とは屈曲自在に連結されている
ことを特徴とする請求項１２に記載の室外機。
【請求項１４】
前記延設部は、
紐形状に構成されている
ことを特徴とする請求項１２に記載の室外機。
【請求項１５】
専用の道具による操作を伴うような前記封止用六角ナットを備えたものにおいて、
前記封止用六角ナットは、
ネジ径が１／２インチ以下の前記冷媒チャージ用サービスポートに対応しており、対辺寸法が１８ｍｍ以上に構成されている
ことを特徴とする請求項１〜１４のいずれか一項に記載の室外機。
【請求項１６】
前記封止用六角ナットの六角柱状となっている部分の少なくとも一面に冷媒の種類を表示する
ことを特徴とする請求項１〜１５のいずれか一項に記載の室外機。
【請求項１７】
請求項１〜１６のいずれか一項に記載の室外機と、
前記室外機に接続される室内機と、を備えた
ことを特徴とする空気調和装置。
【発明の詳細な説明】
【技術分野】
【０００１】
本発明は、圧縮機式冷凍サイクルを用いた空気調和装置の室外機に関し、特に空気調和装置の据え付け時及びサービス時の安全性及び信頼性の向上を図るようにした室外機及び空気調和装置に関するものである。
【背景技術】
【０００２】
従来から、空気調和装置には、ハイドロクロロフルオロカーボン（ＨＣＦＣ）系のＲ２２冷媒、もしくはハイドロフルオロカーボン（ＨＦＣ）系のＲ４１０Ａ冷媒などが多く用いられている。現在及び既存の空気調和装置としては、Ｒ２２冷媒、もしくはＲ４１０Ａ冷媒を使用した機器が多数存在している。なお、日本国内では、現在ではＲ４１０Ａ冷媒の機器が主流に販売されており、また既存の空気調和装置を含めてもＲ４１０Ａ冷媒の機器の方が多いと考えられている。
【０００３】
しかしながら、近年、オゾン層保護の観点および地球温暖化防止の観点から、可燃性をもつ冷媒であるＨＦＣ系冷媒のＲ３２（ジフルオロメタン）、ハイドロフルオロオレフィン系の冷媒（ＨＦＯ１２３４ｙｆ、ＨＦＯ１２３４ｚｅ等）、Ｒ３２やＨＦＯ系との混合冷媒、もしくは、Ｒ２９０（プロパン）やＲ６００ａ（イソブタン）などの自然冷媒が注目されている。中でも、ＨＦＣ系のＲ３２冷媒、もしくはＨＣ系のＲ２９０（プロパン）冷媒への代替化が注目されている。Ｒ３２冷媒及びＲ２９０冷媒は、大気放出による地球温暖化係数（以下、ＧＷＰと称する）が、Ｒ２２冷媒及びＲ４１０Ａ冷媒などと比べて非常に小さくなっていることが特徴である。
【０００４】
ただし、Ｒ３２冷媒及びＲ２９０冷媒などは、可燃性を有した冷媒のため、安全性に対して十分に配慮した製品を設計しなければならない。Ｒ２９０冷媒は、強い可燃性を有しており取り扱いは十分に注意が必要となる。Ｒ３２冷媒は、Ｒ２９０冷媒に比べて可燃性が低く、Ｒ２２冷媒及びＲ４１０Ａ冷媒の不燃性冷媒と比較的類似の製品設計が行えるが、やはり可燃性を有するため、安全設計は必要となる。このため、Ｒ３２冷媒及びＲ２９０冷媒などの可燃性冷媒を用いる場合には、安全性向上のためにコストを投入する必要がある。
【０００５】
空気調和装置は、圧縮機、室外熱交換器、室内熱交換器、四方弁、減圧器などを冷媒配管で接続した圧縮式冷凍サイクルを有している。そのため、Ｒ３２冷媒及びＲ２９０冷媒などの可燃性冷媒を用いた空気調和装置の場合には、空気調和装置の据え付け時、または、空気調和装置のサービス時などのように、冷媒の冷媒回路への充填作業などの際の安全設計が特に必要となる。
【０００６】
そのようなものとして、「冷媒を冷媒回路内に充填する注入口を有する冷却装置において、前記注入口の近傍に、使用冷媒の種類を表示する表示部を備えた冷却装置」が開示されている（例えば、特許文献１参照）。
【先行技術文献】
【特許文献】
【０００７】
【特許文献１】特開平１０−３１１６２９号公報（図２等参照）
【発明の概要】
【発明が解決しようとする課題】
【０００８】
特許文献１に記載の技術は、冷媒を充填する注入口（サービスポート）の近傍に、使用する冷媒の種類を表示するといった注意喚起方法によって、作業者に冷媒の種類を示唆していた。しかしながら、空気調和装置の据え付け場所によっては、悪条件下（例えば、作業場所の明るさが暗い、負担を強いるような作業姿勢等）での据え付け作業もあるため、表示を見落とし、冷媒の種類を誤る可能性がある。そのため、特許文献１に記載の技術のように単に冷媒の種類を表示しているだけでは、作業者に表示内容を１００％伝える確実性に欠けるという課題があった。
【０００９】
特にＲ３２冷媒及びＲ２９０冷媒などの可燃性を有する冷媒を使用する際には、例え悪条件下で据え付け作業をしなければならないとしても、見落とす可能性を完全に排除しなければ安全性を確保することはできない。そのため、従来よりも確実な方法によって作業者に使用している冷媒の種類を周知徹底する必要があった。
【００１０】
また、今後、冷媒の代替化を進めることで、サービスを行う業者は、扱う冷媒の種類が増加し、誤って異なる冷媒を封入してしまうような事態が多く発生すると考えられる。このような場合、著しく安全性や信頼性が損なわれてしまうという課題がある。
【００１１】
例えば、既存のＲ２２冷媒、もしくはＲ４１０Ａを用いた空気調和装置は、可燃性冷媒における安全設計を行っていない。この既存の空気調和装置に誤って可燃性のある冷媒を封入したことを想定すると、据え付け作業時やサービス作業時に冷媒の漏れが生じた場合や、空気調和装置の使用時に冷媒回路が欠損して冷媒が漏れた場合に、周囲が可燃濃度に達し、引火物があると冷媒が燃焼し、重大な事故を招く可能性もある。
【００１２】
また、可燃性冷媒を用いた空気調和装置に、逆にＲ２２冷媒、もしくはＲ４１０Ａ冷媒を誤って封入した場合に、例えば特に冷凍機油は、冷媒の種類に応じて適正な種類の冷凍機油を選定しているため、圧縮機の内部が磨耗したり、冷房や暖房性能の低下を招いたりして、信頼性が著しく低下する。
【００１３】
そこで、空気調和装置の据え付け時やサービス時において、誤った冷媒を封入しないために、冷媒チャージポートのチャージ部のポートの径を冷媒に応じて変更すれば、容易に誤った冷媒を封入しない対策が行える。しかしながら、冷媒チャージポートのチャージ部のポートの径を冷媒に応じて変更すると、冷媒をチャージするためのチャージホースや、冷媒保管用の容器（ボンベ）、冷媒回路を真空引きするための備品の種類も変更しなければならない。そうすると、据え付け作業やサービス作業を行う設備業者は、それに適合した設備を新たに準備する必要があり、費用の負担が大幅に増加することになる。また、これらの備品を準備せずに、据え付け現場やサービス現場に訪れた場合に、作業者は作業ができず、大きな混乱を招いてしまうことにもなる。
【００１４】
ところで、２００１年４月の家電リサイクル法の施行により、エアコン（空気調和装置）、冷蔵庫、テレビなど大量に排出される廃棄物は、リサイクルセンターに集まるようになっている。リサイクルセンターでは、廃棄物を、作業者の手解体による解体作業及び分別作業、破砕機による製品の破砕作業、さらには選別機による鉄、銅、アルミ、プラスチック等の材質の選別作業が行なわれる。加えて、リサイクルセンターでは、廃棄物が空気調和装置の場合、空気調和装置に封入されている冷媒の回収も作業者により行なわれている。
【００１５】
鉄、銅、アルミを再利用する場合は、高熱処理により溶解するため、廃棄物に付着した異物、不純物、汚れ等の影響は少なく、再利用が容易であり、有価物として再利用されている。プラスチックは、様々なプラスチック材料や色調があり、リサイクルが難しい。しかしながら、近年は、プラスチック材料の選別が可能になり、多くのプラスチック材料が再利用されている。
【００１６】
更に、２０１３年４月に特定製品に係るフロン類の回収及び破壊の実施の確保等に関する法律の一部が改正され、使用済フロン類の再生といった取組が要求される社会動向がある。このため、リサイクルセンターでは、回収した冷媒の再生及び再利用を容易にするために、純度を高めた冷媒回収が必要となる。
【００１７】
本発明は、上記のような課題を解決するためになされたもので、作業者（据え付け作業を行う作業者、サービス作業を行う作業者、リサイクル作業を行う作業者）に冷媒の種類を確実に認識させて安全性及び信頼性を高めた室外機及び空気調和装置を提供することを目的とする。
【課題を解決するための手段】
【００１８】
本発明に係る室外機は、冷媒をチャージする際に取り外される封止用六角ナットにより封止される冷媒チャージ用サービスポートが設けられている冷媒配管接続バルブを備えた室外機であって、使用されている冷媒の種類、及び、注意文書の少なくとも１つが記載された表示部と、前記表示部を、前記冷媒配管接続バルブ、もしくは前記封止用六角ナットに取り付ける突起部と、を備えたものである。
【００１９】
本発明に係る空気調和装置は、上記の室外機と、前記室外機に接続される室内機と、を備えたものである。
【発明の効果】
【００２０】
本発明に係る室外機によれば、冷媒充填作業時に、作業者による冷媒の誤封入がなくなり、安全性を高めることが可能になる。
【００２１】
本発明に係る室外機によれば、上記の室外機を備えているので、性能及び品質の低下を抑制できる。
【図面の簡単な説明】
【００２２】
【図１】本発明の実施の形態１に係る室外機を備えた空気調和装置の全体構成を示す概略構成図である。
【図２】本発明の実施の形態１に係る室外機を備えた空気調和装置の室内機の構成を示す分解斜視図である。
【図３】本発明の実施の形態１に係る室外機の構成を示す分解斜視図である。
【図４】本発明の実施の形態１に係る室外機の側面の一部を拡大して示した拡大概略図である。
【図５】冷媒チャージの作業手順を説明するための説明図である。
【図６】本発明の実施の形態１に係る室外機の側面の一部を更に拡大して示した拡大概略図である。
【図７】本発明の実施の形態２に係る室外機の配管接続バルブの仕様を説明するための説明図である。
【図８】本発明の実施の形態３に係る室外機の配管接続バルブの仕様を説明するための説明図である。
【図９】本発明の実施の形態４に係る室外機の配管接続バルブの仕様を説明するための説明図である。
【図１０】本発明の実施の形態５に係る室外機の配管接続バルブの仕様を説明するための説明図である。
【図１１】本発明の実施の形態６に係る室外機の配管接続バルブの仕様を説明するための説明図である。
【図１２】本発明の実施の形態７に係る室外機の配管接続バルブの仕様を説明するための説明図である。
【図１３】本発明の実施の形態７に係る室外機の配管接続バルブの仕様を説明するための説明図である。
【図１４】本発明の実施の形態７に係る室外機の配管接続バルブの仕様を説明するための説明図である。
【図１５】本発明の実施の形態８に係る室外機の配管接続バルブの仕様を説明するための説明図である。
【図１６】本発明の実施の形態８に係る室外機の配管接続バルブの仕様を説明するための説明図である。
【図１７】本発明の実施の形態８に係る室外機の配管接続バルブの仕様を説明するための説明図である。
【図１８】本発明の実施の形態９に係る室外機の配管接続バルブの仕様を説明するための説明図である。
【図１９】本発明の実施の形態９に係る室外機の配管接続バルブの仕様を説明するための説明図である。
【発明を実施するための形態】
【００２３】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００２４】
実施の形態１．
図１は、本発明の実施の形態１に係る室外機２を備えた空気調和装置Ａの全体構成を示す概略構成図である。図２は、室内機１の構成を示す分解斜視図である。図３は、室外機２の構成を示す分解斜視図である。図１〜図３に基づいて、空気調和装置Ａの構成について説明する。室外機２は、作業者（例えば、空気調和装置Ａの据え付け作業を行う作業者、空気調和装置Ａのサービス作業を行う作業者、空気調和装置Ａのリサイクル作業を行う作業者）に、空気調和装置Ａに封入されている冷媒の種類を確実に認識させるようにしたものである。
【００２５】
空気調和装置Ａは、例えばセパレート型の家庭用エアコンとして適用されるものであり、室内機１と室外機２とを有している。室内機１は、据付板２１を例えば室内側の壁面にビス５９等で固定し、据付板２１に引っ掛けるようにして固定され、空調対象空間に空調空気を供給する。室外機２は、支持台５１を空調対象空間とは別空間（例えば屋外）に設置し、支持台５１に載置されるように固定され、室内機１に冷熱又は温熱を供給する。また、室外機２は、運転時の風路が確保でき、かつ室内機１からの距離があまり長くならない位置などに設置するとよい。
【００２６】
室内機１には、液管側配管接続ジョイント１２及びガス側配管接続ジョイント１３が接続されている。室外機２には、液側配管接続バルブ８及びガス側配管接続バルブ９が接続されている。そして、室内機１の液管側配管接続ジョイント１２と、室外機２の液側配管接続バルブ８とを、フレア加工を行った延長配管（冷媒配管）７を用いて結合する。同様に、室内機１のガス側配管接続ジョイント１３と、室外機２のガス側配管接続バルブ９とを、フレア加工を行った延長配管７を用いて結合する。これにより、室内機１の要素機器と室外機２の要素機器とが配管接続され、冷媒回路が構成される。
【００２７】
なお、室内機１と室外機２とを電気的に接合するために、室内機１の端子台２０と室外機２の端子台１７とを、ＶＶＦケーブル２２を用いて結合する。さらに、室外機２の液側配管接続バルブ８、ガス側配管接続バルブ９、及び、端子台１７は、配管化粧カバー１０を室外機２から取り外すことで作業できる位置に配置されている。つまり、室外機２の側面には、配管化粧カバー１０が着脱自在に取り付けられるようになっている。
【００２８】
（室内機１）
室内機１は、基台５２と、室内熱交換器１１と、室内送風モータ１８と、送風ファン１９と、電気品箱５３と、筐体５４と、開閉かつ取り外し可能な前面意匠パネル５５と、を有している。基台５２は据付板２１に固定される。基台５２には、室内熱交換器１１、室内送風モータ１８、送風ファン１９、電気品箱５３、及び、端子台２０が装着される。この状態で、筐体５４が基台５２にネジ固定される。つまり、室内熱交換器１１、室内送風モータ１８、送風ファン１９、電気品箱５３、及び、端子台２０が筐体５４で覆われた状態になる。前面意匠パネル５５は筐体５４に取り付けられる。
【００２９】
室内熱交換器１１は、暖房運転時には凝縮器（放熱器）、冷房運転時には蒸発器として機能するものである。室内送風モータ１８及び送風ファン１９は、室内熱交換器１１の前方に配置され、室内熱交換器１１に風を送るものである。電気品箱５３には、室内送風モータ１８を駆動するための室内側駆動装置５６が収容されている。端子台２０は、室外機２と電気的に結ぶためのものである。
【００３０】
なお、室内機１には、空調対象空間の空気を吸い込む吸込口５７が筐体５４の上面に形成されている。また、室内機１には、吸込口５７から吸い込んだ空気を室内熱交換器１１へ通過させて熱交換し、空調空気を空調対象空間へ吹き出す吹出口５８が筐体５４の前面下方に形成されている。
【００３１】
（室外機２）
室外機２には、冷媒を圧縮する例えば回転数可変型の圧縮機３と、冷媒の流れを切り替える四方弁４と、暖房運転時には蒸発器、冷房運転時には凝縮器（放熱器）として機能する室外熱交換器５と、冷媒の圧力を減圧する流量制御装置６（減圧器）と、室外熱交換器５に風を送る室外送風モータ１５及び室外ファン１６と、が収容されている。室外機２は、前面及び側面の一部を構成するパネル６２と、天面を構成する天板６５と、側面の一部を構成する側面パネル６６とにより、筐体が形成される。
【００３２】
パネル６２の室外ファン１６との対向位置には、空気の通過口となる開口部６３が形成されている。開口部６３には、ワイヤーで形成されたファンガード６４が取り付けられている。側面パネル６６には、ＶＶＦケーブル２２を露出される開口部６８が形成されている。側面パネル６６の開口部６８から露出したＶＶＦケーブル２２は、ケーブルカバー６７で覆われる。ケーブルカバー６７は、更に配管化粧カバー１０で覆われる。また、室外機２には、圧縮機３や四方弁４、室外送風モータ１５を駆動するための駆動装置１４、室内機１と電気的に結ぶための端子台１７が備えられている。
【００３３】
（冷媒回路）
室内機１の室内熱交換器１１、室外機２の圧縮機３、四方弁４、室外熱交換器５、及び、流量制御装置６が、配管接続されることで冷媒回路が構成される。具体的には、暖房運転時には、圧縮機３、四方弁４、室内熱交換器１１、流量制御装置６、室外熱交換器５の順に冷媒が流れるように、冷房運転時には、圧縮機３、四方弁４、室外熱交換器５、流量制御装置６、室内熱交換器１１の順に冷媒が流れるように、冷媒回路が構成される。なお、四方弁４を設けずに、冷房運転のみ又は暖房運転のみを行うようにしてもよい。また、四方弁４の代用として、例えば、二方弁や三方弁を複数個用い、同じように冷媒の流れを切り換えられるように構成してもよい。
【００３４】
（冷媒）
空気調和装置Ａの冷媒回路を循環させる冷媒としては、可燃性を有した例えばＲ３２冷媒がある。ただし、空気調和装置Ａに使用する冷媒をＲ３２冷媒に限定するものではない。例えば、その他可燃性冷媒（例えば、Ｒ２９０冷媒）、二酸化炭素（ＣＯ２）や炭化水素、ヘリウム等のような自然冷媒や、Ｒ４１０Ａはもちろん、Ｒ４０７Ｃ、Ｒ４０４Ａ等の代替冷媒等の塩素を含まない冷媒を採用してもよい。
【００３５】
（空気調和装置Ａの据え付け方法）
次に、空気調和装置Ａの据え付け方法について説明する。
まず、室内機１を固定するための据付板２１を室内側の壁面にビス５９等で固定する。この据付板２１に室内機１を引っ掛けるようにして固定する。
そして、室外機２を運転時の風路が確保でき、かつ室内機１からの距離があまり長くならない位置（例えば、家屋の周囲の空間、ベランダ、屋根、車庫、庭等）に設置する。
【００３６】
そして、空気調和装置Ａの冷媒回路を構成するために、室内機１の液管側配管接続ジョイント１２と、室外機２の液側配管接続バルブ８とを、フレア加工を行った延長配管７を用いて結合する。同様に、室内機１のガス側配管接続ジョイント１３と、室外機２のガス側配管接続バルブ９とを、フレア加工を行った延長配管７を用いて結合する。また、室内機１と室外機２とを電気的に接合するために、室内機１の端子台２０と室外機２の端子台１７とを、ＶＶＦケーブル２２を用いて結合する。
【００３７】
それから、室外機２の側面に配管化粧カバー１０を取り付け、室外機２の液側配管接続バルブ８、ガス側配管接続バルブ９、及び、端子台１７を覆うようにする。
なお、一般的には、２本の延長配管７のそれぞれの周囲を断熱材６０で覆う。そして、断熱材６０で覆われた２本の延長配管７をまとめてテープ６１で巻く。
【００３８】
図４は、室外機２の側面の一部を拡大して示した拡大概略図である。図５は、冷媒チャージの作業手順を説明するための説明図である。図４及び図５に基づいて、一般的な冷媒チャージの作業手順について説明する。
【００３９】
図４に示すように、ガス側配管接続バルブ９は、冷媒チャージ用サービスポート２３を有している。この冷媒チャージ用サービスポート２３には、真空ポンプ２５に繋がっているチャージ用ホース２６が接続される。また、真空ポンプ２５と冷媒チャージ用サービスポート２３との間には、圧力計２７が接続されている。
【００４０】
図５に示すように、ガス側配管接続バルブ９は、冷媒チャージ用サービスポート２３の他に、ガス管側弁棒３０を有している。冷媒チャージ用サービスポート２３には、冷媒チャージ用サービスポート２３を封止する封止用六角ナット（キャップ）２４が設置されている。冷媒チャージ用サービスポート２３には押しピン式のバルブ３３が内蔵されている。また、ガス管側弁棒３０には、弁棒六角ナット（キャップ）２８が設置されている。ガス管側弁棒３０は、六角レンチ２９によって操作可能になっている。さらに、液側配管接続バルブ８は、液管側弁棒３２を有している。液管側弁棒３２には、弁棒六角ナット（キャップ）３１が設置されている。液管側弁棒３２は、六角レンチ２９によって操作可能になっている。
【００４１】
室内機１と室外機２とを延長配管７を用いて結合した時点では、結合した延長配管７と、室内機１の室内熱交換器１１を構成している配管の内部には、空気が充満している。そのため、この空気を放出する必要がある。そこで、室外機２では、ガス側配管接続バルブ９に設けられている冷媒チャージ用サービスポート２３の封止用六角ナット２４を外し、真空ポンプ２５のチャージ用ホース２６を冷媒チャージ用サービスポート２３に接続して、真空引きを行う。圧力計２７などを用いて真空引きが完了した事を確認する。
【００４２】
真空引きが完了した後、ガス側配管接続バルブ９の弁棒六角ナット２８を外し、六角レンチ２９を用いてガス管側弁棒３０を操作し、ガス側配管接続バルブ９を開く。液側配管接続バルブ８も同様に、弁棒六角ナット３１を外し、六角レンチ２９を用いて液管側弁棒３２を操作し、液側配管接続バルブ８を開く。ガス側配管接続バルブ９及び液側配管接続バルブ８を開くと、室外機２に製造時に予め封入してある冷媒が、延長配管７及び室内熱交換器１１に充満される。以上で、室内機１と室外機２とが接続され、冷媒回路が形成される。
【００４３】
ただし、延長配管７が長い場合など、室外機２に製造時に予め封入してある冷媒量では不足している場合がある。このような場合、冷媒を追加して充填する必要がある。このような場合、作業者は、予め準備してある冷媒ボンベに封入されている冷媒を、冷媒チャージ用サービスポート２３を介して必要量の追加チャージを行う。このとき、作業者は、空気調和装置Ａに封入されている冷媒の種類と、準備してきた冷媒ボンベに封入されている冷媒の種類とを間違えないように注意しなければならない。
【００４４】
冷媒の充填が完了すると、作業者は、液側配管接続バルブ８の弁棒六角ナット３１、ガス側配管接続バルブ９の弁棒六角ナット２８、冷媒チャージ用サービスポート２３の封止用六角ナット２４を、しっかりスパナで閉める。最後に、作業者は、配管化粧カバー１０を室外機２に固定する。このようにすることで一連作業は終了する。
【００４５】
（冷媒の種類の認識）
図６は、室外機２の側面の一部を更に拡大して示した拡大概略図である。図６に基づいて、空気調和装置Ａに封入されている冷媒の種類の作業者による認識について説明する。
【００４６】
上述したように、室外機２の側面には液側配管接続バルブ８及びガス側配管接続バルブ９が設けられている。また、ガス側配管接続バルブ９には冷媒チャージ用サービスポート２３が設けられている。図５で説明したように、据え付け現地の作業者は、封止用六角ナット２４を取り外してから冷媒チャージ用サービスポート２３に冷媒封入用のチャージ用ホース２６を取り付ける。このようにすることで、冷媒チャージ用サービスポート２３に内蔵された押しピン式のバルブ３３を開いて、冷媒を封入することができる構造となっている。
【００４７】
現在主流で使用されているＲ４１０Ａ冷媒のエアコンで使用されている封止用六角ナット２４は、１／２インチネジ仕様となっている。また、封止用六角ナット２４の六角対辺は１７ｍｍとなっている。しかしながら、このような仕様の封止用六角ナット２４を用いていたとすると、据えつけたエアコンにＲ４１０Ａ冷媒とは異なる種類の冷媒が封入されていたような場合に、作業者が冷媒の種類を間違えやすい。
封止用六角ナット２４が、本発明の「他の冷媒チャージ用サービスポートに設けられている封止用六角ナット」に相当する。
【００４８】
そこで、図６に示すように、室外機２では、現在主流で使用されている封止用六角ナット２４よりも大きな対辺寸法１８ｍｍ以上の六角ナット（以下、封止用六角ナット（キャップ）３４と称する）を用いるようにしている。封止用六角ナット３４を用いることによって、作業者が通常使用している封止用六角ナット２４用のスパナが使用できないことになる。つまり、作業者は、封止用六角ナット（キャップ）３４に専用のスパナ（道具）を使用しなければならない。このため、作業者が封止用六角ナット３４を取り外す作業段階で、従来の冷媒とは異なる冷媒が使用されていることを作業者に認識させることができ、注意喚起の効果が期待できる。
【００４９】
つまり、封止用六角ナット３４の対辺寸法を通常使用しているスパナが使用できないような寸法としておけば、作業者が、使用されている冷媒の種類を間違っていたとしても、封止用六角ナット３４を取り外すときに、従来の冷媒とは異なる冷媒が使用されていることを認識させることができる。封止用六角ナット３４の対辺寸法に限らず、封止用六角ナット３４の外径、形状及び外観のうちの少なくとも一つを、封止用六角ナット２４と相違させる構成にしておけば、通常使用しているスパナ（封止用六角ナット２４用のスパナ）が使用できないことになる。また、封止用六角ナット３４を用いることによって、特にＲ３２冷媒及びＲ２９０冷媒などの可燃性冷媒を使用している場合の安全設計を、大きなコストを投入することなく、構築できる。
【００５０】
また、図６に示すように、封止用六角ナット３４の六角柱状となっている部分の少なくとも一面に刻印又はシール等による冷媒の種類を示す表示３５を設けることによって、さらに使用されている冷媒の種類を明確に作業者に伝えることが可能になる。
【００５１】
なお、図６では、Ｒ３２冷媒が使用されていることを例に挙げて説明したが、使用されている冷媒の種類をＲ３２冷媒に限定するものではない。ただし、安全設計に大きなコストが投入されるようなＲ３２冷媒及びＲ２９０冷媒などの可燃性冷媒を使用している場合には効果が大きい。また、封止用六角ナット３４の対辺寸法も例示した数値に限定するものではない。
【００５２】
＜室外機２の奏する効果＞
以上のように、室外機２によれば、冷媒チャージを行なう際に作業者が必ず手にする部品（封止用六角ナット）そのものの構成を変更することで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【００５３】
なお、表示３５は、冷媒の種類だけではなく、可燃性冷媒であることのマークや、イニシャル、注意事項を文言で記載してもよい。また、表示３５は、長期間使用しても消えにくいという観点では、刻印の方が印刷物よりも適している。例えば、リサイクルセンターでの冷媒回収時に、冷媒の種類を識別する場合に適している。注意事項を詳しく明示するためには、印刷物が適しているが、表示スペースが少ない場合や、グローバルに機器を展開する場合には、マークやイニシャルが適している。これらは、用途により使い分ければよい。
【００５４】
また、冷媒の種類や、注意事項に関しては、据え付け時やサービス時の作業者に対する情報提供であり、室外機２の構成においては、配管化粧カバー１０を室外機２から外すことで、ガス側配管接続バルブ９に記載した情報が確認できる。このため、一般使用者に不要な情報を与えず、混乱を招く心配がない。特に、Ｒ３２のような微燃性冷媒は、可燃性は有するが、非常に燃えにくく、空気調和装置の据え付け時やサービス時に、作業者が周囲に火気を使用しないことを守れば、燃焼による事故を招く心配がない。このため、注意事項を作業者のみに与える機構としておけば、一般使用者に不必要な不安を与えないために、特に微燃性冷媒を使用した機器には最適である。
【００５５】
ここでは、空気調和装置Ａの据え付け時における冷媒の誤封入防止の説明を行ったが、空気調和装置Ａのサービスにおいても同様の効果が得られる。例えば、不具合等で冷媒回路の修理を行う際に冷媒回路内の冷媒を回収する場合、冷媒チャージ用サービスポート２３に、冷媒回収装置を接続して冷媒を回収する。そして、冷媒の封入を行うも冷媒チャージ用サービスポート２３に、予め準備してある冷媒ボンベを接続し、冷媒ボンベに充填された冷媒を、機器に封入する。つまり、サービス時における作業においても、冷媒チャージ用サービスポート２３の封止用六角ナット３４を取り外す作業段階で、従来の冷媒とは冷媒の種類が異なることを認識することが可能になる。
【００５６】
さらに、冷媒チャージ用サービスポート２３のポート仕様は、これまでのＲ４１０Ａ冷媒のものと同一であるネジ径が１／２インチのネジとなっている。そのために、作業者が準備するチャージ用ホース２６や、真空ポンプ２５、圧力計２７等は、これまでのものと同一のものを準備すればよく、特別にＲ３２用としてこれら備品を準備（購入）する必要がない。よって、作業者には、特別にインフラを整備するための費用や期間の必要がなくなり、地球温暖化係数の小さい冷媒を用いた空気調和装置Ａを市場に素早く広めることも期待できる。
【００５７】
なお、冷媒チャージ用サービスポート２３のポート仕様は、現在主流であるＲ４１０Ａ冷媒のものと同一である１／２インチのネジを使用したが、従来使用していたＲ２２冷媒で仕様していたポート仕様の７／１６インチのネジでもよい。作業者は、従来使用していたＲ２２冷媒やＲ４１０Ａ冷媒の機器で使用していた、チャージホースや、真空ポンプ、圧力計等は、既に保有しているので、Ｒ２２冷媒用のものでも同様の効果が得られる。
【００５８】
また、実施の形態１では、空気調和装置Ａをセパレート型の家庭用エアコンに適用した場合を例に説明したが、空気調和装置Ａをセパレート型の家庭用エアコンに限定するものではなく、冷媒チャージ用サービスポート２３が室外機２に設けられていれば、業務用エアコンや、冷凍装置などにも空気調和装置Ａを適用することができる。
【００５９】
実施の形態２．
図７は、本発明の実施の形態２に係る室外機２の配管接続バルブの仕様を説明するための説明図である。図７に基づいて、空気調和装置Ａに封入されている冷媒の種類の作業者による認識について説明する。図７では、（ａ）が室外機２の側面を拡大した拡大図を、（ｂ）が表示板３６の斜視図を、（ｃ）が表示板３７の斜視図を、それぞれ示している。この実施の形態２では、実施の形態１と同一部分には同一符号を付し、実施の形態１との相違点を中心に説明するものとする。
【００６０】
実施の形態２に係る室外機２では、注意喚起手段として表示板３６又は表示板３７を設けた点で実施の形態１に係る室外機２と相違している。図７に示すように、実施の形態２に係る室外機２は、封止用六角ナット２４の六角柱状となっている面の少なくとも一面に、冷媒の種別である冷媒名を表示した表示板３６又は表示板３７が設置されるようになっている。なお、封止用六角ナット２４については、変更しなくてもよいし、実施の形態１で説明した封止用六角ナット３４に変更してもよい。
【００６１】
表示板３６は、冷媒名が表示されている表示部３６ａと、表示部３６ａの一端から表示部３６ａの表示面と直交する方向に延設された突起部３６ｂと、を有している。突起部３６ｂには、Ｃ字状の取付部３６ｃが設けられている。表示部３６ａは、例えば平板状の部材で構成され、表示板３６が取り付けられた状態において外側を向く面に冷媒名である「Ｒ３２」が表示されている。取付部３６ｃは、弾性力を利用して冷媒チャージ用サービスポート２３のネジ部首元に嵌められるようになっている。取付部３６ｃがガス側配管接続バルブ９の冷媒チャージ用サービスポート２３のネジ部首元に嵌められることによって、表示部３６ａを封止用六角ナット２４の六角柱状となっている面の少なくとも一面に保持することができる。
【００６２】
表示板３６は、表示部３６ａと、突起部３６ｂとを、樹脂などで一体的に形成してもよく、それぞれを別の素材で形成して組み合わせるようにしてもよい。ただし、突起部３６ｂは、弾性力を備えた素材で形成されている。また、図７（ａ）に示すように、表示部３６ａの左右方向の一端側を折り曲げて突起部３６ｂとしてもよく、図７（ｂ）に示すように、表示部３６ａの左右方向の一端側を表示部３６ａの高さ方向の寸法よりも短くして折り曲げて突起部３６ｂとしてもよい。
【００６３】
表示板３７は、冷媒名が表示されている表示部３７ａと、表示部３７ａの一端から表示部３７ａの表示面と直交する方向に延設された突起部３７ｂと、を有している。突起部３７ｂには、Ｃ字状の取付部３７ｃが設けられている。表示部３７ａは、例えば平板状の部材で構成され、表示板３７が取り付けられた状態において外側を向く面に冷媒名である「Ｒ３２」と「可燃性冷媒であることを示すマーク」が表示されている。取付部３７ｃは、弾性力を利用して冷媒チャージ用サービスポート２３のネジ部首元に嵌められるようになっている。取付部３７ｃが冷媒チャージ用サービスポート２３のネジ部首元に嵌められることによって、表示部３７ａを封止用六角ナット２４の六角柱状となっている少なくとも一面に保持することができる。
【００６４】
このように、冷媒の種類だけでなく、可燃性冷媒であることを示すマーク（例えば、絵柄や図形など）やイニシャルを追加したり、注意事項の文言を表示したりすることも可能である。このような表示板３７を設けるようにすれば、表示板３６よりも更に作業者に対しての注意喚起効果をより高めることができる。
【００６５】
表示板３６又は表示板３７を備えることによって、室外機２の据え付け時またはサービス時などに冷媒チャージを行なう場合、作業者は、冷媒チャージ用サービスポート２３の封止用六角ナット２４を外す作業よりも先に、表示板３６を取り外さなければならないことになる。これは、表示板３６を取り外さなければ、封止用六角ナット２４にレンチを掛けることができないからである。つまり、表示板３６及び表示板３７が、封止用六角ナット２４を取り外す際に作業者の操作を伴うような付属部品の一つである。
【００６６】
以上のように、実施の形態２に係る室外機２によれば、封止用六角ナット２４を取り外す際に作業者の操作を伴う付属部品（表示板３６又は表示板３７）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【００６７】
実施の形態３．
図８は、本発明の実施の形態３に係る室外機２の配管接続バルブの仕様を説明するための説明図である。図８に基づいて、空気調和装置Ａに封入されている冷媒の種類の作業者による認識について説明する。この実施の形態３では、実施の形態１、２と同一部分には同一符号を付し、実施の形態１、２との相違点を中心に説明するものとする。
【００６８】
実施の形態３に係る室外機２では、注意喚起手段として表示板３８を設けた点で実施の形態１に係る室外機２と相違している。図８に示すように、実施の形態３に係る室外機２は、封止用六角ナット２４の六角柱状となっている部分に、冷媒名を表示した表示板３８が設置されるようになっている。なお、封止用六角ナット２４については、変更しなくてもよいし、実施の形態１で説明した封止用六角ナット３４に変更してもよい。
【００６９】
表示板３８は、冷媒名が表示されている表示部３８ａと、表示部３８ａの一端から表示部３８ａの表示面を延長する方向に延設された突起部３８ｂと、を有している。突起部３８ｂには、封止用六角ナット２４の六角柱状に対応したリング形状の取付部３８ｃが設けられている。表示部３８ａは、例えば平板状の部材で構成され、表示板３８が取り付けられた状態において外側を向く面に冷媒名である「Ｒ３２」が表示されている。取付部３８ｃが封止用六角ナット２４の六角柱状に嵌め込まれ、突起部３８ｂが封止用六角ナット２４に取り付けられるようになっている。
【００７０】
表示板３８は、表示部３８ａと、突起部３８ｂとを、樹脂や金属などで一体的に形成してもよく、それぞれを別の素材で形成して組み合わせるようにしてもよい。また、実施の形態２で説明した表示板３７のように、冷媒の種類だけでなく、可燃性冷媒であることを示すマークやイニシャルを追加したり、注意事項の文言を表示したりすることも可能である。
【００７１】
表示板３８を備えることによって、室外機２の据え付け時またはサービス時などに冷媒チャージを行なう場合、作業者は、冷媒チャージ用サービスポート２３の封止用六角ナット２４を外す作業よりも先に、表示板３８を取り外さなければならないことになる。これは、表示板３８を取り外さなければ、封止用六角ナット２４にレンチを掛けることができないからである。つまり、表示板３８が、封止用六角ナット２４を取り外す際に作業者の操作を伴うような付属部品の一つである。
【００７２】
以上のように、実施の形態３に係る室外機２によれば、封止用六角ナット２４を取り外す際に作業者の操作を伴う付属部品（表示板３８）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【００７３】
実施の形態４．
図９は、本発明の実施の形態４に係る室外機２の配管接続バルブの仕様を説明するための説明図である。図９に基づいて、空気調和装置Ａに封入されている冷媒の種類の作業者による認識について説明する。この実施の形態４では、実施の形態１〜３と同一部分には同一符号を付し、実施の形態１〜３との相違点を中心に説明するものとする。
【００７４】
実施の形態４に係る室外機２では、注意喚起手段として表示板４０を設けた点で実施の形態１に係る室外機２と相違している。図９に示すように、実施の形態４に係る室外機２は、封止用六角ナット２４の六角柱状となっている部分に周状の溝３９を設け、この溝３９に冷媒名を表示した表示板４０が設置されるようになっている。なお、封止用六角ナット２４については、変更しなくてもよいし、実施の形態１で説明した封止用六角ナット３４に変更してもよい。また、溝３９は、周状に形成されていなくてもよく、封止用六角ナット２４の六角柱状となっている部分の少なくとも一部に突起部４０ｂが取り付けられる程度に形成されていてもよい。
【００７５】
表示板４０は、冷媒名が表示されている表示部４０ａと、表示部４０ａの表示面の裏面から表示部４０ａの表示面と直交する方向に延設された突起部４０ｂと、を有している。突起部４０ｂには、Ｃ字状の取付部４０ｃが設けられている。表示部４０ａは、例えば平板状の部材で構成され、表示板４０が取り付けられた状態において外側を向く面に冷媒名である「Ｒ３２」が表示されている。取付部４０ｃは、弾性力を利用して溝３９に嵌められるようになっている。取付部４０ｃが溝３９に嵌められることによって、表示部４０ａを封止用六角ナット２４の六角柱状となっている部分に保持することができる。
【００７６】
表示板４０は、表示部４０ａと、突起部４０ｂとを、樹脂などで一体的に形成してもよく、それぞれを別の素材で形成して組み合わせるようにしてもよい。ただし、突起部４０ｂは、弾性力を備えた素材で形成されている。また、実施の形態２で説明した表示板３７のように、冷媒の種類だけでなく、可燃性冷媒であることを示すマークやイニシャルを追加したり、注意事項の文言を表示したりすることも可能である。
【００７７】
表示板４０を備えることによって、室外機２の据え付け時またはサービス時などに冷媒チャージを行なう場合、作業者は、冷媒チャージ用サービスポート２３の封止用六角ナット２４を外す作業よりも先に、表示板４０を取り外さなければならないことになる。これは、表示板４０を取り外さなければ、封止用六角ナット２４にレンチを掛けることができないからである。つまり、表示板４０が、封止用六角ナット２４を取り外す際に作業者の操作を伴うような付属部品の一つである。
【００７８】
以上のように、実施の形態４に係る室外機２によれば、封止用六角ナット２４を取り外す際に作業者の操作を伴う付属部品（表示板４０）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【００７９】
実施の形態５．
図１０は、本発明の実施の形態５に係る室外機２の配管接続バルブの仕様を説明するための説明図である。図１０に基づいて、空気調和装置Ａに封入されている冷媒の種類の作業者による認識について説明する。この実施の形態５では、実施の形態１〜４と同一部分には同一符号を付し、実施の形態１〜４との相違点を中心に説明するものとする。
【００８０】
実施の形態５に係る室外機２では、注意喚起手段として表示カバー４１を設けた点で実施の形態１に係る室外機２と相違している。図１０に示すように、実施の形態５に係る室外機２は、封止用六角ナット２４の六角柱状となっている部分に、冷媒名を表示した筒状の表示カバー４１が設置されるようになっている。なお、封止用六角ナット２４については、変更しなくてもよいし、実施の形態１で説明した封止用六角ナット３４に変更してもよい。
【００８１】
表示カバー４１は、冷媒名である「Ｒ３２」が表示され、封止用六角ナット２４の六角柱状となっている部分を覆うように構成されている。つまり、表示カバー４１は、内部に封止用六角ナット２４の六角柱状が挿入され、封止用六角ナット２４の六角柱状の外周を覆うようになっている。表示カバー４１は、筒状の両端が開口されていてもよいし、封止用六角ナット２４の六角柱状が挿入される筒状の一端のみが開口されていてもよい。表示カバー４１は、樹脂や金属、ゴム等の弾性部材で形成するとよい。また、実施の形態２で説明した表示板３７のように、冷媒の種類だけでなく、可燃性冷媒であることを示すマークやイニシャルを追加したり、注意事項の文言を表示したりすることも可能である。
【００８２】
表示カバー４１を備えることによって、室外機２の据え付け時またはサービス時などに冷媒チャージを行なう場合、作業者は、冷媒チャージ用サービスポート２３の封止用六角ナット２４を外す作業よりも先に、表示カバー４１を取り外さなければならないことになる。これは、表示カバー４１を取り外さなければ、封止用六角ナット２４にレンチを掛けることができないからである。つまり、表示カバー４１が、封止用六角ナット２４を取り外す際に作業者の操作を伴うような付属部品の一つである。
【００８３】
以上のように、実施の形態５に係る室外機２によれば、封止用六角ナット２４を取り外す際に作業者の操作を伴う付属部品（表示カバー４１）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【００８４】
実施の形態６．
図１１は、本発明の実施の形態６に係る室外機２の配管接続バルブの仕様を説明するための説明図である。図１１に基づいて、空気調和装置Ａに封入されている冷媒の種類の作業者による認識について説明する。この実施の形態６では、実施の形態１〜５と同一部分には同一符号を付し、実施の形態１〜５との相違点を中心に説明するものとする。
【００８５】
実施の形態６に係る室外機２では、注意喚起手段として表示板４２を設けた点で実施の形態１に係る室外機２と相違している。図１１に示すように、実施の形態６に係る室外機２は、冷媒チャージ用サービスポート２３のネジ部首元に、冷媒名を表示した表示板４２が設置されるようになっている。なお、封止用六角ナット２４については、変更しなくてもよいし、実施の形態１で説明した封止用六角ナット３４に変更してもよい。
【００８６】
表示板４２は、冷媒名が表示されている表示部４２ａと、表示部４２ａの一端から表示部４２ａの表示面を延長する方向に延設された突起部４２ｂと、を有している。突起部４２ｂには、冷媒チャージ用サービスポート２３のネジ部首元に対応したリング形状の取付部４２ｃが設けられている。表示部４２ａは、例えば平板状の部材で構成され、表示板４２が取り付けられた状態において封止用六角ナット２４方向を向いている面に冷媒名である「Ｒ３２」が表示されている。取付部４２ｃは、冷媒チャージ用サービスポート２３のネジ部首元に装着されるようになっている。
【００８７】
つまり、封止用六角ナット２４は、表示板４２が冷媒チャージ用サービスポート２３のネジ部首元に取り付けられた状態で、冷媒チャージ用サービスポート２３に取り付けられるようになっている。よって、表示板４２は、封止用六角ナット２４によって脱落が阻止されることになる。また、作業者が封止用六角ナット２４にレンチを掛ける際に、表示板４２の表示部４２ａを見ることになる。
【００８８】
表示板４２は、表示部４２ａと、突起部４２ｂとを、樹脂や金属などで一体的に形成してもよく、それぞれを別の素材で形成して組み合わせるようにしてもよい。また、実施の形態２で説明した表示板３７のように、冷媒の種類だけでなく、可燃性冷媒であることを示すマークやイニシャルを追加したり、注意事項の文言を表示したりすることも可能である。
【００８９】
表示板４２を備えることによって、室外機２の据え付け時またはサービス時などに冷媒チャージを行なう場合、作業者は、冷媒チャージ用サービスポート２３の封止用六角ナット２４を外す際、表示板４２を見ることになる。これは、表示板４２が封止用六角ナット２４によって脱落しないように取り付けられているからである。また、チャージ用ホース２６を取り付ける際に、表示板４２を取り外さなければならない場合も生じる。これは、チャージ用ホース２６を冷媒チャージ用サービスポート２３に確実に取り付ける必要があるからである。つまり、表示板４２が、封止用六角ナット２４を取り外す際に作業者の操作を伴うような付属部品の一つである。
【００９０】
以上のように、実施の形態６に係る室外機２によれば、封止用六角ナット２４を取り外す際に作業者の操作を伴う付属部品（表示板４２）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【００９１】
実施の形態７．
図１２〜図１４は、本発明の実施の形態７に係る室外機２の配管接続バルブの仕様を説明するための説明図である。図１２〜図１４に基づいて、空気調和装置Ａに封入されている冷媒の種類の作業者による認識について説明する。この実施の形態７では、実施の形態１〜６と同一部分には同一符号を付し、実施の形態１〜６との相違点を中心に説明するものとする。
【００９２】
実施の形態７に係る室外機２では、注意喚起手段として表示カバー４３を設けた点で実施の形態１に係る室外機２と相違している。図１２〜図１４に示すように、実施の形態７に係る室外機２は、一端がガス側配管接続バルブ９の本体の冷媒配管接続口（以下、冷媒配管接続口４５と称する）の根元部分に取り付けられ、他端が封止用六角ナット２４の六角柱状となっている部分の少なくとも一部を着脱自在に覆うように構成された表示カバー４３が設置されるようになっている。なお、封止用六角ナット２４については、変更しなくてもよいし、実施の形態１で説明した封止用六角ナット３４に変更してもよい。
【００９３】
表示カバー４３は、冷媒名が表示され、封止用六角ナット２４の六角柱状となっている部分を着脱自在に覆う表示部４３ａと、表示部４３ａの一部を冷媒配管接続口４５に延設した延設部４３ｂと、延設部４３ｂの一端に設けられ、冷媒配管接続口４５の根本部分に取り付けられるリング形状の取付部４４と、延設部４３ｂと取付部４４とを屈曲自在に連結する屈曲部４６と、表示部４３ａの延設部４３ｂの形成側とは反対側に形成され、表示部４３ａが封止用六角ナット２４の六角柱状となっている部分を覆った状態で封止用六角ナット２４に当接する突起４７と、を有している。
なお、延設部４３ｂ、取付部４４、屈曲部４６、突起４７、が本発明の「保持部」に相当する。
【００９４】
表示部４３ａは、例えば図１２及び図１３に示すように封止用六角ナット２４の六角柱状となっている部分の少なくとも２面に平行となる面と、封止用六角ナット２４の先端と平行となる面と、を有するように構成され、それらの面のすくなくとも一面に冷媒名である「Ｒ３２」が表示されている。図１２及び図１３では、表示部４３ａの紙面手前側の一面に冷媒名が表示されている状態を一例に示している。
【００９５】
延設部４３ｂは、表示部４３ａと取付部４４とを接続するものである。延設部４３ｂは、例えば冷媒配管接続口４５から冷媒チャージ用サービスポート２３のネジ部首元までに至る程度の長さを有している。なお、図１２及び図１３では、延設部４３ｂが、表示部４３ａの一面を冷媒配管接続口４５の方向に延設させた形状としている例に示しているが、図１４に示すように、延設部４３ｂを例えば樹脂や繊維、金属などで構成された紐形状としてもよい。
【００９６】
取付部４４は、リング形状となっている部分に冷媒配管接続口４５を挿通して、冷媒配管接続口４５に取り付けられるようになっている。
【００９７】
屈曲部４６は、ヒンジとなっており、取付部４４が冷媒配管接続口４５の根本部分に取り付けられた状態において、表示部４３ａ及び延設部４３ｂを移動させるものである。なお、図１４に示すように、延設部４３ｂを紐形状とした場合には、屈曲部４６を設ける必要はない。
【００９８】
突起４７は、表示部４３ａの延設部４３ｂの形成側とは反対側、つまり封止用六角ナット２４の六角柱状となっている部分から表示部４３ａを取り外す際に、封止用六角ナット２４の六角柱状となっている部分に引っ掛かる位置に、封止用六角ナット２４側に向かって突出するように形成されている。すなわち、表示部４３ａ及び突起４７によって、封止用六角ナット２４の六角柱状となっている部分に表示カバー４３が嵌り、封止用六角ナット２４を覆うようになっている。なお、図１４に示すように、表示部４３ａをキャップ形状とした場合には、突起４７を設ける必要はない。
【００９９】
具体的には、表示カバー４３は、一旦、封止用六角ナット２４を覆う位置に押し込まれると突起４７が封止用六角ナット２４に接触し、そのままの位置に固定され、取り外す方向に力を受けると突起４７が弾性によって撓み、突起４７が封止用六角ナット２４から外れるようになっている。これによって、表示カバー４３は、屈曲部４６を介して、封止用六角ナット２４とは反対側に開く構造となっている。
【０１００】
表示カバー４３は、表示部４３ａと、延設部４３ｂと、取付部４４と、突起４７とを、樹脂や金属などで一体的に形成してもよく、それぞれを別の素材で形成して組み合わせるようにしてもよい。ただし、突起４７は、弾性力を備えた素材で形成されている。また、実施の形態２で説明した表示板３７のように、冷媒の種類だけでなく、可燃性冷媒であることを示すマークやイニシャルを追加したり、注意事項の文言を表示したりすることも可能である。
【０１０１】
表示カバー４３を備えることによって、室外機２の据え付け時またはサービス時などに冷媒チャージを行なう場合、作業者は、冷媒チャージ用サービスポート２３の封止用六角ナット２４を外す作業よりも先に、表示カバー４３の表示部４３ａを取り外さなければならないことになる。これは、表示部４３ａを取り外さなければ、封止用六角ナット２４にレンチを掛けることができないからである。つまり、表示カバー４３が、封止用六角ナット２４を取り外す際に作業者の操作を伴うような付属部品の一つである。
【０１０２】
以上のように、実施の形態７に係る室外機２によれば、封止用六角ナット２４を取り外す際に作業者の操作を伴う付属部品（表示カバー４３）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。
【０１０３】
実施の形態８．
図１５〜図１７は、本発明の実施の形態８に係る室外機２の配管接続バルブの仕様を説明するための説明図である。図１５〜図１７に基づいて、空気調和装置Ａに封入されている冷媒の種類の作業者による認識について説明する。この実施の形態８では、実施の形態１〜７と同一部分には同一符号を付し、実施の形態１〜７との相違点を中心に説明するものとする。
【０１０４】
実施の形態８に係る室外機２では、実施の形態５で説明した表示カバー４１の取り付け方が実施の形態１に係る室外機２と相違している。以下の説明では、実施の形態５の表示カバーと区別するために表示カバー４１Ａと称する。図１５に示すように、実施の形態８に係る室外機２は、実施の形態５で説明した通り、封止用六角ナット２４の六角柱状となっている部分に、冷媒名を表示した筒状の表示カバー４１Ａが設置されるようになっている。なお、封止用六角ナット２４については、変更しなくてもよいし、実施の形態１で説明した封止用六角ナット３４に変更してもよい。
【０１０５】
表示カバー４１Ａは、表示カバー４１と同様に、冷媒名である「Ｒ３２」が表示され、封止用六角ナット２４の六角柱状となっている部分を覆うように構成されている。つまり、表示カバー４１Ａは、内部に封止用六角ナット２４の六角柱状が挿入され、封止用六角ナット２４の六角柱状の外周を覆うようになっている。表示カバー４１Ａは、筒状の両端が開口されていてもよいし、封止用六角ナット２４の六角柱状が挿入される筒状の一端のみが開口されていてもよい。表示カバー４１Ａは、樹脂や金属、ゴム等の弾性部材で形成するとよい。また、実施の形態２で説明した表示板３７のように、冷媒の種類だけでなく、可燃性冷媒であることを示すマークやイニシャルを追加したり、注意事項の文言を表示したりすることも可能である。
【０１０６】
表示カバー４１Ａには冷媒名である「Ｒ３２」が表示されているが、「Ｒ３２」を刻印で表示するとよい（以下、刻印表示８０と称する）。刻印表示８０は、表示カバー４１Ａの底面に表示すると表示カバー４１Ａを取り付けた際、見えにくくなるため、表示カバー４１Ａの側面手前の見えやすい位置に表示するとよい。
【０１０７】
据付作業時やサービス時に、表示カバー４１Ａが外れてしまうと、そのまま紛失してしまうことがあり、冷媒識別部品としての役割を損なってしまう。そこで、表示カバー４１Ａを、紐状の連結部７０を介して側面パネル６６に取り付けるようにしている。こうすることで、表示カバー４１Ａを側面パネル６６から取り外すことができなくなるため、数年後に冷媒をチャージする際にも表示カバー４１Ａが存在することになる。
【０１０８】
ただし、連結部７０が短すぎると表示カバー４１Ａが着脱しにくくなり、連結部７０が長すぎると作業の邪魔になってしまう。そこで、図１６に示すように、連結部７０を表示カバー４１Ａと一体で作成し、表示カバー４１Ａの大きさ（高さ寸法）の３〜５倍の長さにするとよい。こうすることで、作業性が悪化することはない。なお、連結部７０と表示カバー４１Ａとを別体で作成してもよい。いずれにしても、連結部７０の基端が表示カバー４１Ａに連結されていればよい。
【０１０９】
また、連結部７０の先端（表示カバー４１Ａと接続していない方の端部）は、側面パネル６６に取り付けられるようになっている。連結部７０を側面パネル６６に取り付ける際は、表示カバー４１Ａが外されることがないようにネジ固定等で、連結部７０の先端部を側面パネル６６に固定するとよい。ただし、連結部７０の先端部の固定をネジ固定に限定するものではない。例えば、図１６及び図１７に示すような形状として連結部７０の先端部を構成してもよい。
【０１１０】
連結部７０の具体的な構成例について説明する。連結部７０は、先端側と基端側とを繋ぐ本体部７４と、先端に位置し、矢印のような形状の先端係止部７１と、先端係止部７１よりも基端側（表示カバー４１Ａ側）に位置し、ストッパーとして機能するリブ７２と、先端係止部７１及びリブ７２を本体部７４に接続する接続部７３と、を備えている。なお、先端係止部７１及びリブ７２が、連結部７０の先端部を構成する。また、連結部７０の全部を一体として作成する場合には、接続部７３を設ける必要はない。
【０１１１】
先端係止部７１は、側面パネル６６に形成された穴に挿入され、連結部７０の全体を側面パネル６６に係止する機能を有している。先端係止部７１は、先端から基端に向かって拡径するように形成されており、側面パネル６６に形成された穴に挿入される際に、この穴によって弾性変形する。そして、拡径した部分の全体が挿入されると、弾性変形が解除され、先端係止部７１の基端側部分が側面パネル６６の内壁に当接する。このようにして先端係止部７１が側面パネル６６に係止することで、連結部７０の全体が側面パネル６６に取り付けられることになる。また、先端係止部７１の基端側部分が側面パネル６６の内壁に当接することで、抜け防止にもなっている。
【０１１２】
リブ７２は、椀型形状に構成されており、先端係止部７１が側面パネル６６に係止している状態において側面パネル６６の外郭側に位置するようになっている。具体的には、リブ７２は、吸盤としての機能を有しており、側面パネル６６の外面に吸着することで、連結部７０を側面に貼り付けた状態を維持するストッパーとして機能する。
【０１１３】
接続部７３は、先端係止部７１及びリブ７２を本体部７４に接続するためのものである。接続部７３は、本体部７４の外周側に張り出した形状で作成されており、先端係止部７１及びリブ７２が本体部７４から簡単に外れないように補強されている。
本体部７４は、変形可能になっており、表示カバー４１に連結するものである。
【０１１４】
以上のように、実施の形態８に係る室外機２によれば、封止用六角ナット２４を取り外す際に作業者の操作を伴う付属部品（表示カバー４１Ａ）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。また、表示カバー４１Ａの紛失の心配もなく、長期に渡って安全性に寄与することになる。
【０１１５】
実施の形態９．
図１８及び図１９は、本発明の実施の形態９に係る室外機２の配管接続バルブの仕様を説明するための説明図である。図１８及び図１９に基づいて、空気調和装置Ａに封入されている冷媒の種類の作業者による認識について説明する。この実施の形態９では、実施の形態１〜８と同一部分には同一符号を付し、実施の形態１〜８との相違点を中心に説明するものとする。
【０１１６】
実施の形態９に係る室外機２では、実施の形態５で説明した表示カバー４１の構成が実施の形態１に係る室外機２と相違している。以下の説明では、実施の形態５の表示カバーと区別するために表示カバー４１Ｂと称する。図１８及び図１９に示すように、実施の形態９に係る室外機２は、実施の形態５で説明した通り、封止用六角ナット２４の六角柱状となっている部分に、冷媒名を表示した筒状の表示カバー４１Ｂが設置されるようになっている。なお、封止用六角ナット２４については、変更しなくてもよいし、実施の形態１で説明した封止用六角ナット３４に変更してもよい。
【０１１７】
表示カバー４１Ｂは、表示カバー４１と同様に、冷媒名である「Ｒ３２」が表示され、封止用六角ナット２４の六角柱状となっている部分を覆うように構成されている。つまり、表示カバー４１Ｂは、内部に封止用六角ナット２４の六角柱状が挿入され、封止用六角ナット２４の六角柱状の外周を覆うようになっている。表示カバー４１Ｂは、筒状の両端が開口されていてもよいし、封止用六角ナット２４の六角柱状が挿入される筒状の一端のみが開口されていてもよい。表示カバー４１Ｂは、樹脂や金属、ゴム等の弾性部材で形成するとよい。また、実施の形態２で説明した表示板３７のように、冷媒の種類だけでなく、可燃性冷媒であることを示すマークやイニシャルを追加したり、注意事項の文言を表示したりすることも可能である。
【０１１８】
表示カバー４１Ｂには冷媒名である「Ｒ３２」が表示されているが、表示カバー４１Ａと同様に「Ｒ３２」を刻印で表示した刻印表示８０とするとよい。刻印表示８０は、表示カバー４１Ｂの底面に表示すると表示カバー４１Ｂを取り付けた際、見えにくくなるため、表示カバー４１Ｂの側面手前の見えやすい位置に表示するとよい。
【０１１９】
表示カバー４１Ｂは、傾斜した状態で封止用六角ナット２４に取り付けられることがある。冷媒チャージ用サービスポート２３に水滴が結露した場合、表示カバー４１Ｂ内に水が溜まる。表示カバー４１Ｂ内に水が溜まり、排水されない状態が続くと、封止用六角ナット２４が腐食してしまうことになりかねない。そこで、表示カバー４１Ｂには、水抜き穴８１を形成するようにしている。こうすることにより、表示カバー４１Ｂ内に溜まる水を排水することができ、封止用六角ナット２４の腐食を防止することができる。
【０１２０】
ただし、表示カバー４１Ｂの強度を考慮すると、表示カバー４１Ｂの底面（開放面とは反対側の面）の全部を開放して水抜き穴８１を構成するよりは、図１８及び図１９に示すように、十字状の補強部８２を残し、残りを水抜き穴８１とすることが望ましい。また、図１９に示すように、実施の形態８で説明した連結部７０を用いて表示カバー４１Ｂを側面パネル６６に取り付けるようにしてもよい。
【０１２１】
以上のように、実施の形態９に係る室外機２によれば、封止用六角ナット２４を取り外す際に作業者の操作を伴う付属部品（表示カバー４１Ｂ）を備えるようにすることで、単に冷媒の種類をシール等に記載して接続バルブ周辺に貼り付ける方法よりも、使用している冷媒の種類を確実に作業者に対して認識させることができる。このため、冷媒充填作業時に、作業者による冷媒の誤封入がなくなり、安全性を高めることが可能になり、加えて空気調和装置Ａの性能や品質の低下の心配がなくなる。特に、Ｒ３２冷媒及びＲ２９０冷媒などの可燃性を有する冷媒を使用する際には、安全性の観点からの効果が大きく、加えて地球温暖化を抑制することに寄与する。また、封止用六角ナット２４の腐食の心配もなく、長期に渡って安全性に寄与することになる。
【０１２２】
実施の形態２〜９では、表示板３６、表示板３７、表示板３８、表示板４０、表示カバー４１（表示カバー４１Ａ、表示カバー４１Ｂを含む）、表示板４２、表示カバー４３の外観色についての説明を特段していない。しかしながら、冷媒により冷媒ボンベの表示色が異なるため、これらの表示板及び表示カバーの外観色は、冷媒の種類がわかりやすいように冷媒ボンベと同色とすることが好ましい。例えば、冷媒Ｒ３２のボンベ表示色は水色のため、表示板及び表示カバーも水色とするとよい。
【符号の説明】
【０１２３】
１  室内機、２  室外機、３  圧縮機、４  四方弁、５  室外熱交換器、６  流量制御装置、７  延長配管、８  液側配管接続バルブ、９  ガス側配管接続バルブ、１０  配管化粧カバー、１１  室内熱交換器、１２  液管側配管接続ジョイント、１３  ガス側配管接続ジョイント、１４  駆動装置、１５  室外送風モータ、１６  室外ファン、１７  端子台、１８  室内送風モータ、１９  送風ファン、２０  端子台、２１  据付板、２２  ＶＶＦケーブル、２３  冷媒チャージ用サービスポート、２４  封止用六角ナット、２５  真空ポンプ、２６  チャージ用ホース、２７  圧力計、２８  弁棒六角ナット、２９  六角レンチ、３０  ガス管側弁棒、３１  弁棒六角ナット、３２  液管側弁棒、３３  バルブ、３４  封止用六角ナット、３５  表示、３６  表示板、３６ａ  表示部、３６ｂ  突起部、３６ｃ  取付部、３７  表示板、３７ａ  表示部、３７ｂ  突起部、３７ｃ  取付部、３８  表示板、３８ａ  表示部、３８ｂ  突起部、３８ｃ  取付部、３９  溝、４０  表示板、４０ａ  表示部、４０ｂ  突起部、４０ｃ  取付部、４１  表示カバー、４１Ａ  表示カバー、４１Ｂ  表示カバー、４２  表示板、４２ａ  表示部、４２ｂ  突起部、４２ｃ  取付部、４３  表示カバー、４３ａ  表示部、４３ｂ  延設部、４４  取付部、４５  冷媒配管接続口、４６  屈曲部、４７  突起、５１  支持台、５２  基台、５３  電気品箱、５４  筐体、５５  前面意匠パネル、５６  室内側駆動装置、５７  吸込口、５８  吹出口、５９  ビス、６０  断熱材、６１  テープ、６２  パネル、６３  開口部、６４  ファンガード、６５  天板、６６  側面パネル、６７  ケーブルカバー、６８  開口部、７０  連結部、７１  先端係止部、７２  リブ、７３  接続部、７４  本体部、８０  刻印表示、８１  水抜き穴、８２  補強部、Ａ  空気調和装置。
【図１】
0005984779.tif 000002
【図２】
0005984779.tif 000003
【図３】
0005984779.tif 000004
【図４】
0005984779.tif 000005
【図５】
0005984779.tif 000006
【図６】
0005984779.tif 000007
【図７】
0005984779.tif 000008
【図８】
0005984779.tif 000009
【図９】
0005984779.tif 000010
【図１０】
0005984779.tif 000011
【図１１】
0005984779.tif 000012
【図１２】
0005984779.tif 000013
【図１３】
0005984779.tif 000014
【図１４】
0005984779.tif 000015
【図１５】
0005984779.tif 000016
【図１６】
0005984779.tif 000017
【図１７】
0005984779.tif 000018
【図１８】
0005984779.tif 000019
【図１９】
0005984779.tif 000020